(57)【要約】  本開示は、ウェアラブル電子デバイスなどの電子アクセサリ内のファームウェアを、アクセサリ上の物理的リセットボタンなしでリセットするためのシステムおよび方法について説明する。アクセサリ用のケースなどの電源装置は、リセットを開始する電源として機能することができる。リセットは、例えばユーザがボタンを押すことによって手動で開始されてもよいし、アクセサリが応答していないことを電源装置が検出することなどによって自動的に開始されてもよい。電源装置は、電力線接続を介して電子アクセサリにリセットコマンドを送信する。電力線接続は、例えば、アクセサリが電源装置に接触したときに行われてもよい。いくつかの例では、リセットコマンドは、昇圧された電力レベルであり得る。電力線を介してリセットコマンドを受信すると、アクセサリはリセットを完了する。
2021528031.tif 000002
【特許請求の範囲】
【請求項１】
受電装置をリセットするためのシステムであって、
１つ以上の第１の接点を含む電源装置を備え、前記電源装置は、第１の電圧と、前記第１の電圧とは異なる第２の電圧とを伝達するように適合され、前記システムはさらに、
受電装置を備え、前記受電装置は、
前記第１の接点と嵌合して前記電源装置との電気的接続を確立するように構成された１つ以上の第２の接点と、
前記第１の電圧が前記電源装置によって前記電気的接続を介して伝達されると電荷を受けるように構成されたバッテリとを含み、
前記受電装置は、前記第２の電圧が前記電気的接続を介して前記電源装置によって伝達されるとリセットを実行するように適合される、受電装置をリセットするためのシステム。
【請求項２】
前記電源装置は、前記第１の電圧を生成する第１の電圧源と、前記第２の電圧を生成する第２の電圧源とを含む、請求項１に記載のシステム。
【請求項３】
前記電源装置は、
前記第１の電圧源と前記第２の電圧源との間で選択を行うように適合されたスイッチと、
リセット開始イベントに応答して前記スイッチを制御するように適合された電力制御ユニットとを含む、請求項２に記載のシステム。
【請求項４】
前記電源装置は、前記電力制御ユニットと通信する１つ以上のプロセッサを含み、前記１つ以上のプロセッサは、所定の条件が存在するかどうかを検出するように構成される、請求項３に記載のシステム。
【請求項５】
前記受電装置は、さらに、
ツェナーダイオードと、
トランジスタと、
前記トランジスタに結合されるリセットピンとを含み、
前記第２の電圧は前記ツェナーダイオードを活性化し、前記ツェナーダイオードはその電圧を前記トランジスタに送り、前記トランジスタはその電圧を放出して前記リセットピンを活性化する、先行する請求項のいずれか１項に記載のシステム。
【請求項６】
前記受電装置はウェアラブル電子デバイスである、先行する請求項のいずれか１項に記載のシステム。
【請求項７】
前記受電装置はイアバッドであり、前記電源装置は前記イアバッドのケースである、請求項６記載のシステム。
【請求項８】
前記電気的接続は電力線接続である、先行する請求項のいずれか１項に記載のシステム。
【請求項９】
電源装置であって、
受電装置との電気的接続を確立するように適合された１つ以上の第１の接点と、
第１の電圧および前記第１の電圧とは異なる第２の電圧を生成するように適合された１つ以上の電圧源と、
前記第１の電圧または前記第２の電圧のうちの１つを前記電気的接続を介して伝達するために選択するように構成された電力制御ユニットとを備え、
前記電力制御ユニットは、リセット開始イベントを検出し、前記リセット開始イベントの検出に応答して前記第２の電圧を選択するように構成された１つ以上のプロセッサを含む、電源装置。
【請求項１０】
前記リセット開始イベントは、手動でトリガされるイベントである、請求項９記載の電源装置。
【請求項１１】
前記リセット開始イベントは、前記電源装置の手動制御の起動を含む、請求項１０に記載の電源装置。
【請求項１２】
前記リセット開始イベントは、非応答状態の前記受電装置の存在を検出することを含む、請求項９に記載の電源装置。
【請求項１３】
前記電源装置は、ワイヤレス電子アクセサリ用ケースである、請求項９〜１２のいずれか１項に記載の電源装置。
【請求項１４】
受電装置であって、
電源装置との電気的接続を確立するように構成された１つ以上の接点と、
前記電気的接続を通じて電荷を受けるように構成されたバッテリと、
前記電気的接続を介して受け取られる第１の電圧レベルを、前記電気的接続を介して受け取られる、前記第１の電圧レベルとは異なる第２の電圧レベルから区別するように構成された回路とを備え、前記第１の電圧レベルは、前記バッテリを充電するために前記バッテリに供給され、前記第２の電圧レベルは、前記受電装置におけるファームウェアのリセットを開始する、受電装置。
【請求項１５】
前記回路は、
前記第２の電圧レベルによって活性化されるツェナーダイオードと、
前記ツェナーダイオードに結合されるトランジスタと、
前記トランジスタの出力に結合されるリセットピンとを含む、請求項１４に記載の受電装置。
【請求項１６】
前記回路は、さらに、前記リセットピンを含む電力管理回路を含み、前記電力管理回路はリセットプロセスを完了するように構成される、請求項１５に記載の受電装置。
【請求項１７】
前記受電装置は、ウェアラブル電子デバイスである、請求項１４〜１６のいずれか１項に記載の受電装置。
【請求項１８】
前記受電装置は、イアバッドである、請求項１７に記載の受電装置。
【請求項１９】
前記第２の電圧レベルは、前記第１の電圧レベルより高い、請求項１４〜１７のいずれか１項に記載の受電装置。
【発明の詳細な説明】
【技術分野】
【０００１】
関連出願の相互参照
本出願は米国特許出願１６／１１５，０２２（２０１８年８月２８日）の継続であり、その開示をここに引用により援用する。
【背景技術】
【０００２】
背景
ウェアラブル製品は、典型的には、物理的に小型であり、水密の筐体および洗練された工業デザインを有する。ウェアラブル製品内に組み込まれたシステムは、ファームウェアによって制御され得る。場合によっては、組み込まれたシステムは、ハードウェア動作例外またはプログラムバグの結果としてロックアップまたはプログラムハングを経験し得る。典型的な改善法は、組み込まれたシステムのためのリセットボタンを含むことであるが、これは多くの場合望ましくない。特にウェアラブル製品の場合、リセットボタンを追加することは、そうでない場合には流麗で人間工学的な製品デザインに干渉するか、または場合によってはボタンを追加する余裕が全くない。
【発明の概要】
【課題を解決するための手段】
【０００３】
概要
リセット信号は、電源から受電器への電力接続を介して送られ得る。電源は、例えば、ウェアラブル製品のケース内に位置することができ、一方、受電器は、ウェアラブル製品自体内に位置する。リセットは、ケース上の電源ボタンの長押しなどのイベントによって開始され得る。そのようなイベントの間、電源は、受電器が取り付けられているが応答していないかどうかを検出する。もしそうであれば、電源は出力電圧を上げてリセットを開始する。受電器は、昇圧された電圧を受け取るとリセット動作を行う。
【０００４】
本開示の一態様は、受電装置をリセットするためのシステムを提供する。このシステムは、電源装置と受電装置とを含む。電源装置は、１つ以上の第１の接点を含み、電源装置は、第１の電圧と、第１の電圧よりも高い第２の電圧とを伝達するように構成される。受電装置は、第１の接点と嵌合して電源装置との電気的接続を形成するように構成された１つ以上の第２の接点と、第１の電圧が電源装置によって電気的接続を介して伝達されると電荷を受けるように構成されたバッテリとを含む。受電装置は、第２の電圧が電源装置によって電気的接続を介して伝達されるとリセットを実行するように適合される。
【０００５】
電源装置は、第１の電圧を生成する第１の電圧源と、第２の電圧を生成する第２の電圧源とを含んでもよい。電源装置は、さらに、第１の電圧源と第２の電圧源との間で選択を行うように適合されたスイッチと、リセット開始イベントに応答してスイッチを制御するように適合された電力制御ユニットとを含んでもよい。さらに、電源装置は、電力制御ユニットと通信する１つ以上のプロセッサを含んでもよく、１つ以上のプロセッサは、所定の状況が存在するかどうかを検出するように構成される。
【０００６】
受電装置は、給電されるべき別の装置への有線接続を必要としないという点でワイヤレスであってもよい。受電装置は、ツェナーダイオードと、トランジスタと、トランジスタに結合されたリセットピンとをさらに含むことができ、第２の電圧は、ツェナーダイオードを活性化し、ツェナーダイオードは、その電圧をトランジスタに渡し、トランジスタは、その電圧を放出して、リセットピンを活性化する。受電装置は、例えばイアバッド（earbud）などのウェアラブル電子デバイスであってもよい。電源装置は、例えばウェアラブルデバイスのケースであってもよい。
【０００７】
本開示の別の態様は、受電装置との電気的接続を確立するように適合された１つ以上の第１の接点と、第１の電圧および第１の電圧より高い第２の電圧を生成するように適合された１つ以上の電圧源と、第１の電圧または第２の電圧のうちの１つを電気的接続を介する伝達のために選択するように構成された電力制御ユニットとを含む、電源装置を提供する。
【０００８】
電力制御ユニットは、リセット開始イベントを検出し、リセット開始イベントの検出に応答して第２の電圧を選択するように構成された１つ以上のプロセッサを含むことができる。リセット開始イベントは、電源装置上の手動制御の起動などの、手動でトリガされるイベントであってもよい。他の例では、非応答状態の受電装置の存在を検出することによるなど、自動的にトリガされるイベントであってもよい。
【０００９】
本開示のさらに別の態様は、電源装置との電気的接続を確立するように構成された１つ以上の接点と、電気的接続を通じて電荷を受け取るように構成されたバッテリと、電気的接続を通じて受け取られる第１の電圧レベルを、電気的接続を通じて受け取られる、第１の電圧レベルよりも高い第２の電圧レベルから区別するように構成された回路とを含む、受電装置を提供し、第１の電圧レベルは、バッテリを充電するためにバッテリに供給され、第２の電圧レベルは、受電装置におけるファームウェアのリセットを開始する。
【００１０】
回路は、第２の電圧レベルによって活性化されるツェナーダイオードと、ツェナーダイオードに結合されたトランジスタと、トランジスタの出力に結合されたリセットピンとを含むことができる。回路は、さらに、リセットピンを含む電力管理回路を含むことができ、電力管理回路はリセットプロセスを完了するように構成される。
【図面の簡単な説明】
【００１１】
【図１】本開示の態様による例示的なシステムを示す機能ブロック図である。
【図２】図１のシステムの例示的な図である。
【図３】図１のシステムの例示的な回路図である。
【図４】本開示の態様による、第１の動作モードにおける図３の例示的な回路を示す。
【図５】本開示の態様による、第２の動作モードにおける図３の例示的な回路を示す。
【図６】本開示の態様による例示的な方法を示すフロー図である。
【発明を実施するための形態】
【００１２】
詳細な説明
本開示は、ウェアラブル電子デバイスなどの電子アクセサリ内のファームウェアを、アクセサリ上の物理的リセットボタンなしでリセットするためのシステムおよび方法について説明する。アクセサリ用のケースなどの電源装置は、リセットを開始する電源として機能することができる。リセットは、例えばユーザがボタンを押すことによって手動で開始されてもよいし、アクセサリが応答していないことを電源装置が検出することなどによって自動的に開始されてもよい。電源装置は、電力線接続を介して電子アクセサリにリセットコマンドを送信する。電力線接続は、例えば、アクセサリが電源装置に接触したときに行われてもよい。いくつかの例では、リセットコマンドは、昇圧された電力レベルであり得る。電力線を介してリセットコマンドを受信すると、アクセサリはリセットを完了する。
【００１３】
例示的なシステム
図１は、受電装置１６０に電力を供給する電源装置１１０の一例を示す。例えば、電源装置１１０は、受電装置１６０のバッテリ１８２に電荷を供給することができるバッテリ１１２などの電源を含む。電源装置１１０および受電装置１６０は、例えば電力線１５０を介して電子的に結合されてもよい。電力線１５０は、２つの装置１１０、１６０の間の線として示されているが、装置１１０、１６０の各々は、１つ以上の接点で終端するそれ自体の電力線を含むことができ、２つの装置の電子結合は、電源装置１１０上の接点が受電装置１６０の接点と合うときに形成され得ることを理解されたい。さらに、１つの受電装置１６０だけが示されているが、電源装置１１０は、複数の受電装置に同時に結合されてもよい。例えば、電源装置１１０は、２つのイアバッドに同時に結合され、イアバッドのいずれかまたは両方に対するハードリセットを同時に開始してもよい。他の例では、電源装置１１０は、マスターとして機能する１つのイアバッドと直接電子的に結合されてもよく、それにより、両方のイアバッドがリセットされる。
【００１４】
電源装置１１０から受電装置１６０への電荷は、電力線１５０を介して供給されてもよい。また、図１に示すように、電源装置１１０から電力線１５０を介して受電装置１６０にリセットコマンドを供給してもよい。いくつかの例によれば、リセットコマンドは、電源装置１１０のバッテリ１１２によって受電装置１６０のバッテリ１８２を充電するときに電源装置１１０から受電装置１６０に伝達される電圧レベルと比較して、昇圧された電圧レベルの形態をとることができる。他の例によれば、リセットコマンドは、低減された電圧レベルの形態をとることができる。
【００１５】
電源装置１１０は、１つ以上のプロセッサ１３０、１つ以上のメモリ１２０、およびバッテリ１１２などの他の構成要素を含み得る。
【００１６】
メモリ１２０は、１つ以上のプロセッサ１３０によって実行され得るかまたはそうでなければ使用され得るデータ１２２および命令１２８を含む、１つ以上のプロセッサ１３０によってアクセス可能な情報を記憶することができる。たとえば、メモリ１２０は、コンピューティングデバイス可読媒体、または揮発性メモリ、不揮発性、ならびに他の書込可能および読出専用メモリなど、電子デバイスの支援により読み出されてもよいデータを記憶する他の媒体を含む、プロセッサによってアクセス可能な情報を記憶することができる任意のタイプのものとすることができる。単なる例として、メモリ１２０は、高速ルックアップを提供するように構成されたスタティックランダムアクセスメモリ（ＳＲＡＭ）とすることができる。システムおよび方法は、上記の異なる組み合わせを含むことができ、それによって、命令およびデータの異なる部分が、異なる種類の媒体に格納される。
【００１７】
データ１２２は、命令１２８に従って１つ以上のプロセッサ１３０によって取り出され、記憶され、または修正され得る。例えば、データ１２２は、受電装置１６０のリセットを開始するべきかどうかを示す条件の識別を含むことができる。例えば、条件のセットは、リセットイベントが発生したことを示すことができる。単なる例として、リセットイベントは、特定のスイッチまたはボタンなどの起動、所定の時間にわたる１つ以上のボタンの押下、特定の態様での電源装置の移動、受電装置の特定の状態の検出などを含み得る。特許請求される主題は、いかなる特定のデータ構造によっても限定されないが、データは、コンピューティングデバイスレジスタにおいて、複数の異なるフィールドおよびレコードを有するテーブル、ＸＭＬ文書またはフラットファイルとして、リレーショナルデータベースに記憶されてもよい。データは、任意のコンピューティングデバイス可読フォーマットでフォーマットすることもできる。
【００１８】
命令１２８は、１つ以上のプロセッサ１３０によって直接（マシンコードなど）または間接的に（スクリプトなど）実行される命令の任意のセットとすることができる。例えば、命令は、コンピューティングデバイスコードとしてコンピューティングデバイス可読媒体上に記憶され得る。これに関して、「命令」および「プログラム」という用語は、本明細書において互換的に使用され得る。命令は、プロセッサによる直接処理のためにオブジェクトコードフォーマットで記憶されてもよく、または要求に応じて解釈されるかもしくは予めコンパイルされる独立したソースコードモジュールのスクリプトもしくは集まりを含む任意の他のコンピューティングデバイス言語で記憶されてもよい。命令の機能、方法およびルーチンは、以下でより詳細に説明される。
【００１９】
１つ以上のプロセッサ１３０は、電源装置１１０自体にハードワイヤードされたマイクロプロセッサ、論理回路（例えば、論理ゲート、フリップフロップなど）であってもよく、または専用の特定用途向け集積回路（ＡＳＩＣ）であってもよい。１つ以上のプロセッサ１３０は、ハードワイヤード論理回路に限定されず、任意の市販の処理ユニット、またはフィールドプログラマブルゲートアレイ（ＦＰＧＡ）などの任意のハードウェアベースのプロセッサも含み得ることを理解されたい。いくつかの例では、１つ以上のプロセッサ１３０は、状態機械を含み得る。
【００２０】
受電装置１６０は、電源装置１１０の構成要素と同様の構成要素を含むことができる。例えば、受電装置１６０は、データ１７２および命令１７８を含むメモリ１７０と、１つ以上のプロセッサ１８０と、バッテリ１８２と、典型的には電子アクセサリに見られる他の構成要素とを含むことができる。命令１７８は、電源装置１１０からリセットコマンドが受信されるとファームウェアリセットを完了するために１つ以上のプロセッサ１８０によって実行され得る。
【００２１】
図２は、図１の装置の一例を示す図を提供する。この例に示すように、電源装置はケース２１０であり、受電装置はイアバッド２３０の対である。イアバッド２３０は、給電されるべき音楽プレーヤー、電話、または他のデバイスへの有線接続を必要としないという点でワイヤレスであってもよい。いくつかの例では、各イアバッドは、さらに、互いからワイヤレスであってもよい。イアバッド２３０は、イアバッド２３０およびその中の送信機、受信機、増幅器、センサなどの他の構成要素に電力を提供する１つ以上のバッテリ２３２を含む。イアバッド２３０のバッテリ２３２は、イアバッド２３０のサイズが小さいことに鑑み、比較的小さくてもよい。イアバッド２３０が出荷および収納されるケース２１０は、より大きなバッテリ２１２を有していてもよい。ケース２１０のこのより大きなバッテリ２１２は、イアバッド２３０の小さなバッテリ２３２に電荷を供給することができる。
【００２２】
イアバッド２３０が所定の向きでケース２１０内に配置されると、イアバッド２３０上の接点（図示せず）がケース２１０上の接点に接触して、電力線接続を含む電気的接続を確立することができる。いくつかの例では、各イアバッドは独立して動作することができ、したがって、ある電力線接続が第１のイアバッドと確立され、別個の電力線接続が第２のイアバッドと確立される。
【００２３】
ケース２１０は、電力線接続を通じてイアバッド２３０にリセットコマンドを送る。例えば、リセットは、ケース２１０において特定のイベントにより開始され得る。特定のイベントは、ユーザにより開始または自動的に開始され得る。考えられ得るユーザ開始イベントの例は、指定されたリセットボタンを押すこと、ケース２１０上の別のボタン２１６を、例えば５秒、３０秒などの延長された期間の間長押しすること、ケースを特定の方向または動きで回転または移動させることなどを含む。自動的に開始されるリセットの例は、イアバッド２３０が存在するがタイムアウト期間後に応答しないことの検出を含む。例えば、イアバッド２３０上のバッテリ２３２が完全に放電された場合、イアバッド２３０は、典型的には、ケース２１０内に配置されると充電を開始し、所定の時間（例えば、５秒）内にオンになり、応答することができる。所定の時間が経過し、ケース２１０のバッテリ２１２内の十分な電荷にもかかわらず、イアバッド２３０が応答しないままである場合、リセットが自動的に開始され得る。
【００２４】
図２の例は、電源装置をケースとして、および受電装置をイアバッドとして示しているが、電力線を介したリセットコマンドの送出は、様々なデバイスのいずれでも実施可能であることを理解されたい。単なる例として、電子デバイスは、スマートウォッチ、フィットネストラッカ、ヘッドマウントディスプレイ、電話、電話アクセサリ、玩具、ゲームシステム、タブレットなどのいずれでも含み得る。
【００２５】
図３は、電子アクセサリ用のケースなどの電源装置３１０と、イアバッドなどの受電装置３６０とを含む、図１のシステムの例示的な回路図を示す。電源装置３１０および受電装置３６０は、電力線接続３５２および接地線接続３５４を介して電子的に結合される。電源装置３１０は、第１の電圧源３１２と第２の電圧源３１４とを含み、第２の電圧源３１４は第１の電圧源３１２とは異なる。例えば、第２の電圧源は、相対的に昇圧された電圧レベルを生成するために第１の電圧源よりも高くてもよく、相対的に低減された電圧レベルを生成するために第１の電圧源よりも低くてもよい。スイッチ３２５は、電力線３５２上での伝達のために、第１の電圧源３１２と第２の電圧源３１４との間で選択を行うために使用され得る。例えば、第１の電圧源３１２は、受電装置３６０のバッテリを充電するために電力線３５２を介して伝達することができ、第２の電圧源３１４は、受電装置３６０をリセットするために電力線３５２を介して伝達することができる。スイッチ３２５は、電力制御ユニット３２０によって起動され得る。
【００２６】
第１の電圧源３１２および第２の電圧源３１４は両方とも電力線３５２と接地線３５４との間に結合され、一方、スイッチ３２５は、第１の電圧源３１２と第２の電圧源３１４との間の選択を与える。
【００２７】
この例では、第１の電圧源３１２は、約３．４Ｖ〜４．４Ｖを出力する。例えば、第１の電圧源３１２は、バックブーストレギュレータとすることができる。しかしながら、電圧源のタイプは変更されてもよく、電圧レベル出力は変更されてもよいことを理解されたい。例えば、いくつかの電子デバイスは、充電のために、より高い電圧レベルを必要とする場合があり、したがって、第１の電圧源３１２は、そのようなデバイスのために、より高い場合がある。同様に、他のデバイスは、充電のために、より低い電圧しか必要としない場合がある。
【００２８】
第２の電圧源３１４は、第１の電圧源３１２と比較して昇圧された電圧レベルを出力する。この例では、第２の電圧源３１４は、約５．２Ｖを出力する。より高い電圧レベルが使用され得るが、いくつかの例では、昇圧された電圧レベルは、電力を節約するなどのために、第１の電圧源３１２よりもほんのわずかに高いだけであってもよい。したがって、第２の電圧源３１４からの電圧レベルは、第１の電源３１２の電圧レベルに対して相対的であり得る。例えば、他の例では、第１の電圧源３１２の電圧レベルが、６Ｖなど、より高い場合、第２の電圧源３１４の電圧レベルも、７Ｖなど、より高いものであってもよい。
【００２９】
電力制御ユニット３２０は、例えば、スイッチ３２５を使用して、第１の電圧３１２と第２の電圧３１４との間で選択を行うことができる。電力制御ユニット３２０は、例えば、マイクロコントローラユニット（ＭＣＵ）、システムオンチップ（ＳＯＣ）、ＡＳＩＣ、またはＦＰＧＡ／ＣＰＬＤなどであり得る。電力制御ユニット３２０は、リセットボタンの押下または非応答受電装置３６０の存在などのリセットイベントを検出することができる。例えば、電源制御ユニット３２０は、リセットボタンが押されると回路を閉じるリセットスイッチ３２５に結合され得る。
【００３０】
電力制御ユニット３２０は、リセットイベントを検出することに応答して、スイッチ３２５を作動させることができる。例えば、スイッチ３２５は、デフォルトで、第１の電圧源３１２と電力線３５２との間の回路を閉じて、より低いレベルの電圧が電力線３５２を介してデフォルトで伝達されるようにすることができる。スイッチ３２５がリセットイベントで電力制御ユニット３２０によって作動されると、スイッチ３２５は、第２の電圧源３１４と電力線３５２との間の回路を閉じ、より高いレベルの電圧が電力線３５２を介して伝達される。このようなより高いレベルの電圧の伝達は、受電装置３６０へのリセットコマンドとして働き得る。
【００３１】
受電装置３６０は、電力管理集積回路（ＰＭＩＣ）、充電器、ＭＣＵ、ＳＯＣなどの充電ユニット３６８を含むことができる。図３の例に示されるように、充電ユニット３６８は、電源３１０の電力出力を受けるための、受電装置３６０の電力入力端子３６５に接続されてもよく、受電装置３６０の接地端子に接続されてもよい。充電ユニット３６８は、さらに、リセット信号を受けるためのリセットピン３８２を含むことができる。
【００３２】
リセットピン３８２は、充電ユニット３６８のリセット機能を起動するためのスイッチに接続され得る。図３の例では、スイッチは、ｎｐｎバイポーラ接合トランジスタ３６４であるが、他の例では、他のタイプのトランジスタ、およびより一般的にはスイッチが使用されてもよい。トランジスタ３６４のコレクタは、抵抗器３７６を介して電力入力端子に接続され、トランジスタ３６４のエミッタは、接地３６６に接続され得る。リセットピン３８２は、トランジスタ３６４のコレクタに接続され得る。
【００３３】
トランジスタ３６４のスイッチング動作は、ベース抵抗３７４を介してトランジスタ３６４のベースに接続された制御線により制御される。制御線は、電力入力端子３６５と接地端子３６６との間に互いに直列に結合されたツェナーダイオード３６２および接地抵抗器３８８を含み得る。トランジスタ３６４のベースは、ツェナーダイオード３６２と接地抵抗器３８８との間の制御線のノードに結合され得る。
【００３４】
動作時、より低レベルの電圧は、ツェナーダイオード３６２の降伏電圧未満であってもよく、より高レベルの電圧（または昇圧された電圧）は、ツェナーダイオード３６２の降伏電圧より高くてもよい。このため、受電装置３６０は、電源装置３１０から昇圧された電圧を受け、昇圧された電圧はツェナーダイオード３６２をオンにし、それによって、ツェナーダイオードは電流を伝える。ツェナーダイオード３６２が導通すると、ベース抵抗３７４を介してトランジスタ３６４のベースに電流が流れ、それによってトランジスタ３６４をオンにする。トランジスタ３６４は、そのベースに電流を有し、トランジスタ３６４のコレクタを接地３６６に向ける。トランジスタ３６４からの出力はリセットピン３８２を活性状態に引く。例えば、トランジスタ３６４はリセットピン３８２をローに引いてもよい。リセットピン３８２を活性化させると、充電ユニット３６８またはＭＣＵはリセットを実行するようにトリガされる。充電ユニット３６８がリセットピン３８２を介してリセット信号に直接結合される場合、充電ユニット３６８は、リセットを出力し、またはシステム電源を短くオフにし、再びオンに戻すなどして、システムがクリーンスタートを有することを可能にすることができる。
【００３５】
図４は、充電モードなどの第１の動作モードにおける図３の例示的な回路図を示す。いくつかの例によれば、充電モードはデフォルト動作モードとすることができる。このモードでは、スイッチ３２５は、第１の電圧源３１２を電力線３５２に結合する。したがって、第１の電圧は、電力線３５２を介して受電装置３６０に伝達される。受電装置３６０では、第１の電圧はツェナーダイオード３６２をオンにするほど充分には高くない。これにより、電力入力線３５６を介して充電ユニット３６８に電流が流れ、それにより、受電装置３６０のバッテリが再充電される。
【００３６】
図５は、リセットモードなどの第２の動作モードにおける図３の例示的な回路図を示す。上述したように、リセットモードは、ボタンの押下などによって手動で、または所定の条件の検出などによって自動で開始されてもよい。電力制御ユニット３２０は、スイッチ３２５に第２の電圧源３１４で回路を閉じさせ、それによって、第２の電圧源３１４に電力線３５２を介してより高い電圧を伝達させる。より高い電圧は、受電装置３６０のツェナーダイオード３６２で受け取られると、ツェナーダイオード３６２をオンにし、これにより、電流がトランジスタ３６４のベースに流される。トランジスタ３６４は、オンにされると、電流を放出し、リセットピン３８２を活性状態に引き込む。したがって、充電回路３６８は、リセットピン３８２によってトリガされ、ファームウェアリセットを実行する。
【００３７】
例示的な方法
上記のシステムに関連して説明される動作に加えて、様々な動作が、ここで、例示的な方法に関連して説明される。なお、以下の動作は、以下に記載される順序通りに行う必要はない。むしろ、様々な動作を、異なる順序で、または同時に処理することができ、動作を追加または省略してもよい。
【００３８】
図６は、電源装置を使用して受電装置をリセットする例示的な方法７００を示すフロー図を示す。これらの装置は、イアバッド、電話、電話アクセサリ、玩具、ゲームシステム、タブレットなど、任意のタイプの電子デバイスを含み得る。
【００３９】
ブロック６１０において、電源装置はリセット開始イベントを検出する。例えば、電源装置は、受電装置の特定のボタンの押下、移動、環境条件、ステータス等を検出してもよい。電源装置は、そのような検出されたイベントを、受電装置をリセットするコマンドと関連付けるようにプログラムされてもよい。
【００４０】
ブロック６２０において、電源装置は、受電装置等を充電するために伝達される典型的な電圧と比較して、昇圧された電圧を受電装置に伝達する。例えば、電源装置は、様々な電圧レベルで伝達するように適合された電圧源を含むことができる。他の例では、電源装置は、各々が異なる電圧レベルで伝達するように適合された２つ以上の電圧源を、それらの間にスイッチを伴って、含むことができる。
【００４１】
ブロック６３０では、昇圧された電圧が受電装置で受け取られる。例えば、電圧は、電源装置の接点と受電装置の接点との間の電力線接続を介して受け取られてもよい。
【００４２】
ブロック６４０において、昇圧された電圧は、受電装置においてツェナーダイオードを活性化し、その電圧をトランジスタに渡す。ブロック６５０において、トランジスタが活性化され、リセットピンをローに引いてリセットピンを活性化する。ブロック６６０において、受電装置はリセット動作を完了する。例えば、リセットピンの活性化は、電力管理回路に、デバイスファームウェアのリセットを実行させるか、または電力電圧をサイクル化させる。
【００４３】
前述のシステムおよび方法は、それらがウェアラブルデバイスをリセットするための機構を提供する点で有利であるが、これは、他の態様では、別個のリセット制御を含めるには、小さく流麗すぎる場合がある。前述の例では、増加した電圧レベルは、システムリセットをトリガするために伝達されるが、他の例では、増加した電圧レベルは、システムクリーンコールドスタートを得るべく、たとえば電力電圧サイクル化を実行するなど他のアクションを開始するために伝達されてもよい。
【００４４】
前述の例のいくつかは、イアバッドの対などのアクセサリにリセットを送達する場合に関連して説明されているが、システムおよび方法の他の例は、多数の他の電子デバイスのいずれかを含み得ることを理解されたい。単なる例として、リセットは、ワイヤレスフォン充電器などの誘導充電デバイスと、セルフォンまたは他の小型電子デバイスとの間の電力線接続を介して送達され得る。
【００４５】
特に断らない限り、前述の代替例は、相互に排他的ではなく、固有の利点を達成するために様々な組み合わせで実現され得る。上記で論じた特徴のこれらおよび他の変形および組み合わせは、特許請求の範囲によって規定される主題から逸脱することなく利用され得るので、実施形態の前述の説明は、特許請求の範囲によって規定される主題の限定としてではなく例示として解釈されるべきである。さらに、本明細書で説明される例の提供、ならびに「〜のような」、「含む」などとして表現される項目は、特許請求の範囲の主題を特定の例に限定するものとして解釈されるべきではなく、むしろ、実施例は、多くの可能な実施形態のうちの１つのみを例証することを意図している。さらに、異なる図面における同じ参照番号は、同じまたは同様の要素を識別し得る。
【図１】
2021528031.tif 000003
【図２】
2021528031.tif 000004
【図３】
2021528031.tif 000005
【図４】
2021528031.tif 000006
【図５】
2021528031.tif 000007
【図６】
2021528031.tif 000008
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
受電装置をリセットするためのシステムであって、
１つ以上の第１の接点を含む電源装置を備え、前記電源装置は、第１の電圧と、前記第１の電圧とは異なる第２の電圧とを伝達するように適合され、前記システムはさらに、
受電装置を備え、前記受電装置は、
前記第１の接点と嵌合して前記電源装置との電気的接続を確立するように構成された１つ以上の第２の接点と、
前記第１の電圧が前記電源装置によって前記電気的接続を介して伝達されると電荷を受けるように構成されたバッテリとを含み、
前記受電装置は、前記第２の電圧が前記電気的接続を介して前記電源装置によって伝達されるとリセットを実行するように適合される、受電装置をリセットするためのシステム。
【請求項２】
前記電源装置は、前記第１の電圧を生成する第１の電圧源と、前記第２の電圧を生成する第２の電圧源とを含む、請求項１に記載のシステム。
【請求項３】
前記電源装置は、
前記第１の電圧源と前記第２の電圧源との間で選択を行うように適合されたスイッチと、
リセット開始イベントに応答して前記スイッチを制御するように適合された電力制御ユニットとを含む、請求項２に記載のシステム。
【請求項４】
前記電源装置は、前記電力制御ユニットと通信する１つ以上のプロセッサを含み、前記１つ以上のプロセッサは、所定の条件が存在するかどうかを検出するように構成される、請求項３に記載のシステム。
【請求項５】
前記受電装置は、さらに、
ツェナーダイオードと、
トランジスタと、
前記トランジスタに結合されるリセットピンとを含み、
前記第２の電圧は前記ツェナーダイオードを活性化し、前記ツェナーダイオードはその電圧を前記トランジスタに送り、前記トランジスタはその電圧を放出して前記リセットピンを活性化する、請求項１〜４のいずれか１項に記載のシステム。
【請求項６】
前記受電装置はウェアラブル電子デバイスである、請求項１〜５のいずれか１項に記載のシステム。
【請求項７】
前記受電装置はイアバッドであり、前記電源装置は前記イアバッドのケースである、請求項６記載のシステム。
【請求項８】
前記電気的接続は電力線接続である、請求項１〜７のいずれか１項に記載のシステム。
【請求項９】
電源装置であって、
受電装置との電気的接続を確立するように適合された１つ以上の第１の接点と、
第１の電圧および前記第１の電圧とは異なる第２の電圧を生成するように適合された１つ以上の電圧源と、
前記第１の電圧または前記第２の電圧のうちの１つを前記電気的接続を介して伝達するために選択するように構成された電力制御ユニットとを備え、
前記電力制御ユニットは、リセット開始イベントを検出し、前記リセット開始イベントの検出に応答して前記第２の電圧を選択するように構成された１つ以上のプロセッサを含む、電源装置。
【請求項１０】
前記リセット開始イベントは、手動でトリガされるイベントである、請求項９記載の電源装置。
【請求項１１】
前記リセット開始イベントは、前記電源装置の手動制御の起動を含む、請求項１０に記載の電源装置。
【請求項１２】
前記リセット開始イベントは、非応答状態の前記受電装置の存在を検出することを含む、請求項９に記載の電源装置。
【請求項１３】
前記電源装置は、ワイヤレス電子アクセサリ用ケースである、請求項９〜１２のいずれか１項に記載の電源装置。
【請求項１４】
受電装置であって、
電源装置との電気的接続を確立するように構成された１つ以上の接点と、
前記電気的接続を通じて電荷を受けるように構成されたバッテリと、
前記電気的接続を介して受け取られる第１の電圧レベルを、前記電気的接続を介して受け取られる、前記第１の電圧レベルとは異なる第２の電圧レベルから区別するように構成された回路とを備え、前記第１の電圧レベルは、前記バッテリを充電するために前記バッテリに供給され、前記第２の電圧レベルは、前記受電装置におけるファームウェアのリセットを開始する、受電装置。
【請求項１５】
前記回路は、
前記第２の電圧レベルによって活性化されるツェナーダイオードと、
前記ツェナーダイオードに結合されるトランジスタと、
前記トランジスタの出力に結合されるリセットピンとを含む、請求項１４に記載の受電装置。
【請求項１６】
前記回路は、さらに、前記リセットピンを含む電力管理回路を含み、前記電力管理回路はリセットプロセスを完了するように構成される、請求項１５に記載の受電装置。
【請求項１７】
前記受電装置は、ウェアラブル電子デバイスである、請求項１４〜１６のいずれか１項に記載の受電装置。
【請求項１８】
前記受電装置は、イアバッドである、請求項１７に記載の受電装置。
【請求項１９】
前記第２の電圧レベルは、前記第１の電圧レベルより高い、請求項１４〜１７のいずれか１項に記載の受電装置。
【国際調査報告】
2021528031.tif 000009
2021528031.tif 000010
2021528031.tif 000011